(57)【要約】【課題】止水壁構造体の構築および解体作業における作業負担を減じると共に少ない作業設備により構築および解体する。【解決手段】壁面により内部空間Ｓ１〜Ｓ４が画成された中空セグメント２，４，６，８を横方向および縦方向に連結して、少なくとも一部が水没した構造物との間に止水された空間を確保する止水壁構造体の構築方法であって、中空セグメント２，４，６，８を水面ｗｌに浮かせて横方向に互いに連結して連結体を形成する工程（Ａ）と、工程（Ａ）において形成された連結体に中空セグメント２，４，６，８を積み重ねて連結して他の連結体を形成する工程（Ｂ）と、水中にある少なくとも一の連結体を形成する中空セグメント２，４，６，８の内部空間Ｓ１〜Ｓ４内に液体ｗａを注入する工程（Ｃ）と、を備える。【選択図】図７
2019210662.tif 000002
【特許請求の範囲】
【請求項１】
壁面により内部空間が画成された中空セグメントを横方向および縦方向に連結して、少なくとも一部が水没した構造物との間に止水された空間を確保する止水壁構造体の構築方法であって、
前記中空セグメントを水面に浮かせて横方向に互いに連結して連結体を形成する工程（Ａ）と、
前記工程（Ａ）において形成された前記連結体に前記中空セグメントを積み重ねて連結して他の連結体を形成する工程（Ｂ）と、
水中にある少なくとも一の前記連結体を形成する前記中空セグメントの前記内部空間内に液体を注入する工程（Ｃ）と、
を備える
ことを特徴とする止水壁構造体の構築方法。
【請求項２】
前記工程（Ａ）および（Ｂ）を繰り返して所定の高さまで前記連結体を積み重ねた後、前記工程（Ｃ）において、最下位の前記連結体を形成する前記中空セグメントの前記内部空間内に液体を注入することを特徴とする請求項１に記載の止水壁構造体の構築方法。
【請求項３】
積み重ねられた全ての前記中空セグメントの前記内部空間内に液体を注入する工程（Ｄ）を備えることを特徴とする請求項１または２に記載の止水壁構造体の構築方法。
【請求項４】
前記請求項１から３までのいずれか一項に記載の方法により構築された止水壁構造体の解体方法であって、
前記液体によって満たされた前記中空セグメントの前記内部空間内に空気を供給する工程（Ｅ）と、
水上に浮上した前記連結体において、前記中空セグメント同士の連結を解除して当該中空セグメントを除去する工程（Ｆ）と、
を備える
ことを特徴とする止水壁構造体の解体方法。
【請求項５】
少なくとも一部が水没した構造物との間に止水された空間を確保するように構築された止水壁構造体であって、
外壁を形成する外側プレート、内壁を形成する内側プレートおよび前記外側プレートと前記内側プレートとの間の空間を覆う壁部を有し、前記外側プレート、内側プレートおよび前記壁部によって外部に対して閉じられた内部空間が画成された複数の中空セグメントを備え、
前記中空セグメントは、横方向に複数連結されて連結体を構成し、当該連結体は、複数積み重ねられており、
前記連結体のうち、水面下にある少なくとも一部の前記連結体を形成する前記中空セグメントの前記内部空間は、液体によって満たされている
ことを特徴とする止水壁構造体。
【請求項６】
前記中空セグメントの前記内部空間は、少なくとも１つの仕切壁により分割されており、前記仕切壁には分割された前記内部空間同士を繋ぐ孔が形成されていることを特徴とする請求項５に記載の止水壁構造体。
【請求項７】
前記複数の中空セグメントのうち少なくとも１つの前記中空セグメントの前記外側プレートおよび前記内側プレートの少なくとも一方には、外部と前記内部空間との間で流体を通流させる通流部が設けられていることを特徴とする請求項５または６に記載の止水壁構造体。
【請求項８】
前記通流部に取り付けられて、外部と前記内部空間との間で前記流体を通流させる管部材を有することを特徴とする請求項７に記載の止水壁構造体。
【請求項９】
前記壁部には、横方向および縦方向に隣接する前記中空セグメントの前記内部空間同士を繋ぐ孔が形成されていることを特徴とする請求項５から８までのいずれか一項に記載の止水壁構造体。
【請求項１０】
前記構造物を平面視矩形状に取り囲んで構築されていることを特徴とする請求項５から９までのいずれか一項に記載の止水壁構造体。
【請求項１１】
全ての前記中空セグメントの前記内部空間が水により満たされていることを特徴とする請求項５から１０までのいずれか一項に記載の止水壁構造体。
【発明の詳細な説明】
【技術分野】
【０００１】
本発明は、中空セグメントにより構築された止水壁構造体の構築方法、止水壁構造体の解体方法および止水壁構造体に関する。
【背景技術】
【０００２】
従来、河川などの水中に構築された橋脚、河川、港湾および海岸沿いに構築された護岸等の構造体を補強・補修する場合、構造体の周りや、構造体の補強・補修する箇所付近にドライな作業空間を確保するために締切り工により止水壁を構築する必要がある（例えば、特許文献１参照。）。
【先行技術文献】
【特許文献】
【０００３】
【特許文献１】特開２０１１−５８１７２号公報
【発明の概要】
【発明が解決しようとする課題】
【０００４】
ところで、図１４に示すように、橋脚の周囲に止水壁ｃｗを構築するためには、止水壁ｃｗの壁部を構成する鋼板製のセグメントプレートｓｐが用いられる。これらのセグメントプレートｓｐは、台船に積載されており、水上における橋脚部分に設置された吊り機械ｃｍにより吊り上げられて、水中に吊り降ろされる。水中に降ろされたセグメントプレートｓｐを水中において潜水作業者（以下、「潜水士」という。）が互いに連結したり固定したりすることにより、止水壁ｃｗは組み立てられる。
このような止水壁ｃｗの構築には、吊り機械ｃｍのような大型の機械が必要になる上、構築作業の大部分を水中において潜水士が行われなければならない。潜水士による水中作業は、橋脚ｂｌの全周に亘って、かつ、高さ方向において止水壁ｃｗが水面から出るまで続けなければならず、水中作業を行う潜水士への作業負担が大きかった。
また、橋脚ｂｌの補強・補修後には止水壁ｃｗを解体しなければならないが、解体作業においても、潜水士によるセグメントプレートｓｐ同士の連結解除等の水中作業、および吊り機械ｃｍによる水中からのセグメントプレートｓｐの引上げ作業等があり、解体作業における作業負担も大きかった。
このように、止水壁ｃｗの構築およびその解体作業は、負担が大きく、止水壁ｃｗの補強・補修作業のコストが大きくなっていた。
【０００５】
そこで、本発明は、上記課題に鑑みてなされたものであり、構築および解体作業における作業負担を減じると共に少ない作業設備により構築および解体することができる止水壁構造体の構築方法、解体方法および止水壁構造体を提供することを目的とする。
【課題を解決するための手段】
【０００６】
上記課題を解決するために、本発明に係る、壁面により内部空間が画成された中空セグメントを横方向および縦方向に連結して、少なくとも一部が水没した構造物との間に止水された空間を確保する止水壁構造体の構築方法によれば、前記中空セグメントを水面に浮かせて横方向に互いに連結して連結体を形成する工程（Ａ）と、前記工程（Ａ）において形成された前記連結体に前記中空セグメントを積み重ねて連結して他の連結体を形成する工程（Ｂ）と、水中にある少なくとも一の前記連結体を形成する前記中空セグメントの前記内部空間内に液体を注入する工程（Ｃ）と、を備えることを特徴とする。
【０００７】
また、前記工程（Ａ）および（Ｂ）を繰り返して所定の高さまで前記連結体を積み重ねた後、前記工程（Ｃ）において、最下位の前記連結体を形成する前記中空セグメントの前記内部空間内に液体を注入することが好ましい。
【０００８】
また、積み重ねられた全ての前記中空セグメントの前記内部空間内に液体を注入する工程（Ｄ）を備えることが好ましい。
【０００９】
さらに、上記課題を解決するために、本発明に係る解体方法によれば、前記液体によって満たされた前記中空セグメントの前記内部空間内に空気を供給する工程（Ｅ）と、水上に浮上した前記連結体において、前記中空セグメント同士の連結を解除して当該中空セグメントを除去する工程（Ｆ）と、を備えることを特徴とする。
【００１０】
さらに、上記課題を解決するために、本発明に係る、少なくとも一部が水没した構造物との間に止水された空間を確保するように構築された止水壁構造体によれば、外壁を形成する外側プレート、内壁を形成する内側プレートおよび前記外側プレートと前記内側プレートとの間の空間を覆う壁部を有し、前記外側プレート、内側プレートおよび前記壁部によって外部に対して閉じられた内部空間が画成された複数の中空セグメントを備え、前記中空セグメントは、横方向に複数連結されて連結体を構成し、当該連結体は、複数積み重ねられており、前記連結体のうち、水面下にある少なくとも一部の前記連結体を形成する前記中空セグメントの前記内部空間は、液体によって満たされていることを特徴とする。
【００１１】
また、前記中空セグメントの前記内部空間は、少なくとも１つの仕切壁により分割されており、前記仕切壁には分割された前記内部空間同士を繋ぐ孔が形成されていることが好ましい。
【００１２】
また、前記複数の中空セグメントのうち少なくとも１つの前記中空セグメントの前記外側プレートおよび前記内側プレートの少なくとも一方には、外部と前記内部空間との間で流体を通流させる通流部が設けられていることが好ましい。
【００１３】
また、前記通流部に取り付けられて、外部と前記内部空間との間で前記流体を通流させる管部材を有することが好ましい。
【００１４】
また、前記壁部には、横方向および縦方向に隣接する前記中空セグメントの前記内部空間同士を繋ぐ孔が形成されていることが好ましい。
【００１５】
また、前記構造物を平面視矩形状に取り囲んで構築されていることが好ましい。
【００１６】
また、全ての前記中空セグメントの前記内部空間が水により満たされていることが好ましい。
【発明の効果】
【００１７】
本発明によれば、構築および解体作業における作業負担を減じると共に少ない作業設備により構築および解体することができる。
【図面の簡単な説明】
【００１８】
【図１】本発明の実施の形態に係る止水壁構造体の概略図である。
【図２】止水壁構造体を構築する中空セグメントの構成を説明するための図である。
【図３】止水壁構造体を構築する他の中空セグメントの構成を説明するための図である。
【図４】止水壁構造体の図２および図３の中空セグメントに管部材が取り付けられた状態を示す図である。
【図５】止水壁構造体の平面概略図である。
【図６】止水壁構造体の構築・解体方法を説明するための図である。
【図７】止水壁構造体の構築・解体方法を説明するための図である。
【図８】止水壁構造体の構築・解体方法を説明するための図である。
【図９】止水壁構造体の構築・解体方法を説明するための図である。
【図１０】止水壁構造体の構築・解体方法を説明するための図である。
【図１１】変形例に係る中空セグメントの構成を示す図である。
【図１２】変形例に係る他の中空セグメントの構成を示す図である。
【図１３】止水壁構造体の図１１および図１２の中空セグメントに管部材が取り付けられた状態を示す図である。
【図１４】従来の止水壁の構築方法について説明するための図である。
【発明を実施するための形態】
【００１９】
本発明の好ましい実施の形態について、図面を参照しながら説明する。なお、以下に示す実施の形態は一例であり、本発明の範囲において、種々の実施の形態をとりうる。
【００２０】
図１は、本実施の形態に係る止水壁構造体の概略図である。図２は、中空セグメントを内部が見える状態にして示す透視斜視図であり、（ａ）は中空セグメントの直方セグメントの斜視図であり、（ｂ）は中空セグメントの連結セグメントの斜視図である。図３は、他の中空セグメントを内部が見える状態にして示す透視斜視図であり、（ａ）は他の中空セグメントの直方セグメントの斜視図であり、（ｂ）は他の中空セグメントの連結セグメントの斜視図である。図４は、図２および図３の中空セグメントに管部材が取り付けられた状態の止水壁構造体を示す斜視図である。
【００２１】
＜止水壁構造体＞
止水壁構造体１００は、例えば、図１に示すように、河川や海等の水中に立設された橋脚ｂｌの補強・補修を行う際に、橋脚ｂｌの周囲に作業空間ｗｓを形成するために橋脚ｂｌを取り囲んで形成されている。止水壁構造体１００は、複数の環状構造体（連結体）１を当該止水壁構造体１００に対して高さ方向ｈに積み重ねて互いに連結して筒状に組み立てたものである。
【００２２】
［環状構造体］
環状構造体１は、高さ方向ｈにおいて止水壁構造体１００の最下段に位置する環状構造体１Ａと、当該環状構造体１Ａに高さ方向ｈにおいて積み重ねて連結されていく環状構造体１Ｂとを有する。
環状構造体１Ａは、中空セグメント１０Ａを横方向ｌに連結して平面視矩形状になるように構成されている。環状構造体１Ｂは、中空セグメント１０Ｂを横方向ｌに連結して平面視矩形状になるように構成されている。
中空セグメント１０Ａには、略直方体状の直方セグメント２と、この直方セグメント２を互いに直角をなすようにコーナ部Ｃにおいて連結する連結セグメント４とがある。中空セグメント１０Ｂには、略直方体状の直方セグメント６と、この直方セグメント６を互いに直角をなすようにコーナ部Ｃにおいて連結する連結セグメント８とがある。
なお、説明の便宜上、直方セグメント２，６および連結セグメント４，８の長さ方向（横方向）を「ｌ」、高さ方向（縦方向）を「ｈ」、幅方向（厚さ方向）を「ｗ」とする。
【００２３】
図２（ａ）に示すように、中空セグメント１０Ａの直方セグメント２は、壁面により内部空間Ｓ１が画成されている。直方セグメント２は、止水壁構造体１００の外壁を形成する３枚の外側プレート２１と、止水壁構造体１００の内壁を形成する３枚の内側プレート２２と、当該外側プレート２１および当該内側プレート２２の間の空間を覆う壁部とを有する。
壁部は、直方セグメント２をその高さ方向ｈにおいて上側から覆う上側プレート２３と、下側から覆う下側プレート２４と、直方セグメント２を長さ方向ｌにおいて側方から覆う２枚の側方プレート２５とを有する。
直方セグメント２は、外側プレート２１、内側プレート２２、上側プレート２３、下側プレート２４、および側方プレート２５により中空の内部空間Ｓ１が画成されて箱状に形成されている。直方セグメント２は、さらに、内部空間Ｓ１を高さ方向ｈに対して垂直に仕切る２枚の仕切プレート（仕切壁）２６を有する。直方セグメント２は、３つの内部空間Ｓ１に等分に分割されつつも、各内部空間Ｓ１は、互いに繋がっている。
【００２４】
外側プレート２１は、平面視矩形状に構成されており、例えば、鋼板を波形状に湾曲させて形成した波状部を有する直線状の鋼矢板により形成された、いわゆるライナープレートである。波状部は、高さ方向ｈに沿って厚さ方向ｗに起伏して形成されている。
外側プレート２１は、それぞれ高さ方向ｈに沿って配置されている。
【００２５】
各内側プレート２２は、各外側プレート２１に対して平行に対向して配置されている。内側プレート２２は、平面視矩形状に構成されており、例えば、鋼板を波形状に湾曲させて形成した波状部を有する直線状の鋼矢板により形成された、いわゆるライナープレートである。波状部は、高さ方向ｈに沿って厚さ方向ｗに起伏して形成されている。
高さ方向ｈにおいて最上位に配置された内側プレート２２には、直方セグメント２の外部と直方セグメント２の内部空間Ｓ１との間で空気等の流体を通流させる通流部が形成されている。通流部は、内側プレート２２に形成された通流口（図示せず。）と、当該通流口に取り付けられた、外部から内部空間Ｓ１へ空気を供給するための、例えば、ホース等の管部材Ｔ１（図４参照。）が接続される接続部材Ｖ１と、を有する。接続部材Ｖ１は、給気・排気の弁機能を有する公知の弁部材が使用される。
接続部材Ｖ１を開くと、外部と内部空間Ｓ１とは連通され、外部から内部空間Ｓ１への空気の供給が可能になると共に、内部空間Ｓ１から外部への空気の排出（排気）が可能になる。接続部材Ｖ１を閉じると、外部と内部空間Ｓ１との連通は遮断され、外部から内部空間Ｓ１への空気の供給は防がれる。
高さ方向ｈにおいて最下位に配置された内側プレート２２には、直方セグメント２の外部と直方セグメント２の内部空間Ｓ１との間で水（液体）等の流体を通流させる通流部が形成されている。通流部は、内側プレート２２に形成された通流口（図示せず。）と、当該通流口に取り付けられた、外部から内部空間Ｓ１へ水を供給するための、例えば、ホース等の管部材Ｔ２（図４参照。）が接続される接続部材Ｖ２と、を有する。接続部材Ｖ２は、給水・排水の弁機能を有する公知の弁部材が使用される。
接続部材Ｖ２を開けば外部と内部空間Ｓ１とは連通され、外部から内部空間Ｓ１への水の注入が可能になると共に、内部空間Ｓ１から外部への水の排出（排水）が可能になる。接続部材Ｖ２を閉じれば外部と内部空間Ｓ１との連通は遮断され、外部から内部空間Ｓ１への水の流出入は防がれる。
【００２６】
上側プレート２３は、平面視矩形状の鋼板により形成されており、外側プレート２１と内側プレート２２との間の空間を高さ方向ｈにおいて上側から覆っている。上側プレート２３は、長さ方向ｌにおいて外側プレート２１および内側プレート２２に沿って延在しており、幅方向ｗにおいて外側プレート２１および内側プレート２２から所定の長さだけ突出している。上側プレート２３は、長さ方向ｌに沿って外側プレート２１および内側プレート２２と溶接されている。
外側プレート２１および内側プレート２２から幅方向ｗに所定の長さだけ突出した上側プレート２３の突出部分には、長さ方向ｌに沿って複数の貫通孔２３ａが等間隔に形成されている。貫通孔２３ａは、直方セグメント２と、当該直方セグメント２に重ねられる後述する直方セグメント６または連結セグメント８とを連結するためのボルト（図示せず。）が挿通される。
突出部分の貫通孔２３ａが形成されていない部分、例えば、隣り合う貫通孔２３ａの間には、足場２７を取り付けるために取付孔（図示せず。）が形成されていてもよい。
【００２７】
下側プレート２４は、平面視矩形状の鋼板により形成されており、外側プレート２１と内側プレート２２との間の空間を高さ方向ｈにおいて下側から覆っている。下側プレート２４は、長さ方向ｌにおいて外側プレート２１および内側プレート２２に沿って延在しており、幅方向ｗに外側プレート２１および内側プレート２２から所定の長さだけ突出している。下側プレート２４は、長さ方向ｌに沿って外側プレート２１および内側プレート２２と溶接されている。
外側プレート２１および内側プレート２２から幅方向ｗに所定の長さだけ突出した下側プレート２４の突出部分には、長さ方向ｌに沿って複数の貫通孔２４ａが等間隔に形成されている。貫通孔２４ａは、直方セグメント２に止水プレート（図示せず。）を連結するためのボルト（図示せず。）が挿通される。
突出部分の貫通孔２４ａが形成されていない部分、例えば、隣り合う貫通孔２４ａの間には、足場２７を取り付けるために取付孔（図示せず）が形成されていてもよい。
【００２８】
側方プレート２５は、平面視矩形状の鋼板により形成されており、外側プレート２１と内側プレート２２との間の空間を側方（横方向ｌ側）から覆っている。側方プレート２５は、高さ方向ｈにおいて外側プレート２１および内側プレート２２に沿って延在しており、外側プレート２１および内側プレート２２から幅方向ｗに所定の長さだけ突出している。側方プレート２５は、高さ方向ｈに沿って外側プレート２１および内側プレート２２と溶接されている。
外側プレート２１および内側プレート２２から幅方向ｗに所定の長さだけ突出した側方プレート２５の部分には、高さ方向ｈに沿って複数の貫通孔２５ａが等間隔に形成されている。貫通孔２５ａは、直方セグメント２と、当該直方セグメント２に横方向ｌに隣接する直方セグメント２および連結セグメント４とを連結するためのボルト（図示せず。）が挿通される。
【００２９】
仕切プレート２６は、平面視矩形の鋼板により形成されている。仕切プレート２６は、高さ方向ｈにおいて隣接した、互いに対向する一対の外側プレート２１および内側プレート２２の間に設けられている。直方セグメント２は、２枚の仕切プレート２６により、内部空間Ｓ１が三等分されている。
仕切プレート２６は、長さ方向ｌにおいて外側プレート２１および内側プレート２２に沿って延在しており、外側プレート２１および内側プレート２２から幅方向ｗに所定の長さだけ突出した突出部分を有する。仕切プレート２６は、長さ方向ｌに沿って外側プレート２１および内側プレート２２と溶接されており、かつ幅方向ｗに沿って側方プレート２５と溶接されている。
仕切プレート２６には、分割された内部空間Ｓ１同士を繋ぐ（連通させる）ための貫通孔２６ａが形成されている。なお、貫通孔２６ａが形成されている位置および数は、特に限定されない。
仕切プレート２６の突出部分には、足場２７を取り付けるために２つの取付孔（図示せず。）が形成されていてもよい。
【００３０】
図２（ｂ）に示すように、連結セグメント４は、互いに直交する位置関係にある直方セグメント２同士を連結する平面視Ｌ字状のものである。連結セグメント４は、壁面により内部空間Ｓ２が画成されている。連結セグメント４は、止水壁構造体１００の外壁を形成する６枚の外側プレート４１と、止水壁構造体１００の内壁を形成する６枚の内側プレート４２と、当該外側プレート４１および当該内側プレート４２の間の空間を覆う壁部とを有する。
壁部は、連結セグメント４をその高さ方向ｈにおいて上側から覆う平面視Ｌ字状の上側プレート４３と、下側から覆う平面視Ｌ字状の下側プレート４４と、連結セグメント４を側方から覆う２枚の側方プレート４５とを有する。
連結セグメント４は、外側プレート４１、内側プレート４２、上側プレート４３、下側プレート４４および側方プレート４５により中空の内部空間Ｓ２が画成されて平面視Ｌ字の箱状に形成されている。連結セグメント４は、さらに、内部空間Ｓ２を高さ方向ｈに対して垂直に仕切る２枚の仕切プレート（仕切壁）４６を有する。連結セグメント４は、３つの内部空間Ｓ２に等分に分割されつつも、各内部空間Ｓ２は、互いに繋がっている。
【００３１】
外側プレート４１には３枚の第１プレート４７と３枚の第２プレート４８とがあり、第１プレート４７および第２プレート４８は、互いに連結部材を介し、互いに直角をなすように連結されている。第１プレート４７は、第２プレート４８に対して長尺に構成されている。
各第１プレート４７は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。
各第１プレート４７は、それぞれ高さ方向ｈに沿って配置されている。
【００３２】
各第２プレート４８は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。
各第２プレート４８は、それぞれ高さ方向ｈに沿って配置されている。
【００３３】
各内側プレート４２は、各外側プレート４１に対して平行に対向して配置されている。内側プレート４２には、３枚の第１プレート４９と３枚の第２プレート５０とがあり、第１プレート４９および第２プレート５０は、連結部材を介して互いに直角をなすように連結されている。第１プレート４９は、第２プレート５０に対して長尺に構成されている。
【００３４】
各第１プレート４９は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。
各第１プレート４９は、それぞれ高さ方向ｈに沿って配置されている。
各第２プレート５０は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。
各第２プレート５０は、それぞれ高さ方向ｈに沿って配置されている。
高さ方向ｈにおいて最上位に配置された第１プレート４９には、連結セグメント４の外部と連結セグメント４の内部空間Ｓ２との間で空気等の流体を通流させる通流部が形成されている。通流部は、第１プレート４９に形成された通流口（図示せず。）と、当該通流口に取り付けられた、外部から内部空間Ｓ２へ空気を供給するための、例えば、ホース等の管部材Ｔ１が接続される接続部材Ｖ１と、を有する。接続部材Ｖ１は、給気・排気の弁機能を有する公知の弁部材が使用される。
接続部材Ｖ１を開くと、外部と内部空間Ｓ２とは連通され、外部から内部空間Ｓ２への空気の供給が可能になると共に、内部空間Ｓ２から外部への空気の排出（排気）が可能になる。接続部材Ｖ１を閉じると、外部と内部空間Ｓ２との連通は遮断され、外部から内部空間Ｓ２への空気の供給は防がれる。
なお、接続部材Ｖ１は、第１プレート４９ではなく、第２プレート５０に設けられていてもよい。
【００３５】
高さ方向ｈにおいて最下位に配置された第１プレート４９には、連結セグメント４の外部と連結セグメント４の内部空間Ｓ２との間で水（液体）等の流体を通流させる通流部が形成されている。通流部は、第１プレート４９に形成された通流口（図示せず。）と、当該通流口に取り付けられた、外部から内部空間Ｓ２へ水を供給するための、例えば、ホース等の管部材Ｔ２が接続される接続部材Ｖ２と、を有する。接続部材Ｖ２は、給水・排水の弁機能を有する公知の弁部材が使用される。
接続部材Ｖ２を開くと、外部と内部空間Ｓ２とは連通され、外部から内部空間Ｓ２への水の注入が可能になると共に、内部空間Ｓ２から外部への水の排出（排水）が可能になる。接続部材Ｖ２を閉じると、外部と内部空間Ｓ２との連通は遮断され、外部から内部空間Ｓ２への水の流出入は防がれる。
なお、接続部材Ｖ２は、第１プレート４９ではなく、第２プレート５０に設けられていてもよい。
【００３６】
上側プレート４３は、平面視Ｌ字状の鋼板により形成されており、外側プレート４１と内側プレート４２との間の空間を高さ方向ｈにおいて上側から覆っている。上側プレート４３は、外側プレート４１の第１プレート４７および第２プレート４８と、内側プレート４２の第１プレート４９および第２プレート５０とに沿って延在しており、外側プレート４１および内側プレート４２から幅方向ｗに所定の長さだけ突出している。上側プレート４３は、最上位に設けられた外側プレート４１および内側プレート４２と溶接されている。
外側プレート４１および内側プレート４２から幅方向ｗに所定の長さだけ突出した上側プレート４３の突出部分には、長さ方向ｌに沿って複数の貫通孔４３ａが等間隔に形成されている。貫通孔４３ａは、連結セグメント４と、当該連結セグメント４に重ねられる後述する直方セグメント６および連結セグメント８とを連結するためのボルト（図示せず。）が挿通される。
突出部分の貫通孔４３ａが形成されていない部分、例えば、隣り合う貫通孔４３ａの間には、足場２７を取り付けるために取付孔（図示せず。）が形成されていてもよい。
【００３７】
下側プレート４４は、平面視Ｌ字状の鋼板により形成されており、外側プレート４１と内側プレート４２との間の空間を高さ方向ｈにおいて下側から覆っている。下側プレート２４は、外側プレート４１の第１プレート４７、第２プレート４８、内側プレート４２の第１プレート４９および第２プレート５０に沿って延在しており、外側プレート４１および内側プレート４２から幅方向ｗに所定の長さだけ突出している。下側プレート４４は、最下位に設けられた外側プレート４１および内側プレート４２と溶接されている。
外側プレート４１および内側プレート４２から幅方向ｗに所定の長さだけ突出した下側プレート４４の突出部分には、長さ方向ｌに沿って複数の貫通孔４４ａが等間隔に形成されている。貫通孔４４ａには、連結セグメント４に止水プレート（図示せず。）を連結するためのボルト（図示せず。）が挿通される。
突出部分の貫通孔４４ａが形成されていな部分、例えば、隣り合う貫通孔４４ａの間には、足場２７を取り付けるために取付孔（図示せず。）が形成されていてもよい。
【００３８】
側方プレート４５は、平面視矩形状の鋼板により形成されており、外側プレート４１と内側プレート４２との間の空間を側方から覆っている。側方プレート４５は、高さ方向ｈにおいて外側プレート４１および内側プレート４２に沿って延在しており、外側プレート４１および内側プレート４２から幅方向ｗに所定の長さだけ突出している。側方プレート４５は、高さ方向ｈに沿って外側プレート４１および内側プレート４２と溶接されている。
【００３９】
外側プレート４１および内側プレート４２から幅方向ｗに所定の長さだけ突出した側方プレート４５の突出部分には、高さ方向ｈに沿って複数の貫通孔４５ａが等間隔に形成されている。貫通孔４５ａは、長さ方向ｌに隣接して連結される直方セグメント２を連結するためのボルト（図示せず。）が挿通される。
【００４０】
仕切プレート４６は、平面視Ｌ字形状の鋼板により形成されている。仕切プレート４６は、高さ方向ｈにおいて隣接した、互いに対向する一対の外側プレート４１および内側プレート４２の間に設けられている。連結セグメント４は、２枚の仕切プレート４６により、内部空間Ｓ２が三等分されている。
仕切プレート４６は、長さ方向ｌに沿って外側プレート４１の第１プレート４７および第２プレート４８、ならびに内側プレート４２の第１プレート４９および第２プレート５０に沿って延在しており、外側プレート４１および内側プレート４２から幅方向ｗに所定の長さだけ突出した突出部分を有する。仕切プレート４６は、長さ方向ｌに沿って外側プレート４１および内側プレート４２と溶接されており、かつ幅方向ｗに沿って側方プレート４５と溶接されている。
仕切プレート４６には、分割された内部空間Ｓ２同士を繋ぐ（連通させる）ための貫通孔４６ａが形成されている。なお、貫通孔４６ａが形成されている位置および数は、特に限定されない。
仕切プレート４６の突出部分には、足場２７を取り付けるために取付孔（図示せず。）が形成されていてもよい。
【００４１】
図３（ａ）に示すように、中空セグメント１０Ｂの直方セグメント６は、壁面により内部空間Ｓ３が画成されている。直方セグメント６は、止水壁構造体１００の外壁を形成する２枚の外側プレート６１と、止水壁構造体１００の内壁を形成する２枚の内側プレート６２と、当該外側プレート６１および当該内側プレート６２の間の空間を覆う壁部とを有する。
壁部は、直方セグメント６をその高さ方向ｈにおいて上側から覆う上側プレート６３と、下側から覆う下側プレート６４と、直方セグメント６を長さ方向ｌにおいて側方から覆う２枚の側方プレート６５とを有する。
直方セグメント６は、外側プレート６１、内側プレート６２、上側プレート６３、下側プレート６４、および側方プレート６５により中空の内部空間Ｓ３が画成されて箱状に形成されている。直方セグメント６は、さらに、内部空間Ｓ３を高さ方向ｈに対して垂直に仕切る１枚の仕切プレート（仕切壁）６６を有する。直方セグメント６は、２つの内部空間Ｓ３に等分に分割されつつも、各内部空間Ｓ３は、互いに繋がっている。
【００４２】
外側プレート６１は、平面視矩形状に構成されており、例えば、鋼板を波形状に湾曲させて形成した波状部を有する直線状の鋼矢板により形成された、いわゆるライナープレートである。波状部は、高さ方向ｈに沿って厚さ方向ｗに起伏して形成されている。
外側プレート６１は、それぞれ高さ方向ｈに沿って配置されている。
【００４３】
各内側プレート６２は、各外側プレート６１に対して平行に対向して配置されている。内側プレート６２は、平面視矩形状に構成されており、例えば、鋼板を波形状に湾曲させて形成した波状部を有する直線状の鋼矢板により形成された、いわゆるライナープレートである。波状部は、高さ方向ｈに沿って厚さ方向ｗに起伏して形成されている。
内側プレート６２は、それぞれ高さ方向ｈに沿って配置されている。
高さ方向ｈにおいて最上位に配置された内側プレート６２は、接続部材Ｖ１を有し、高さ方向ｈにおいて最下位に配置された内側プレート６２は、接続部材Ｖ２を有する。各接続部材Ｖ１，Ｖ２は、直方セグメント２における接続部材Ｖ１，Ｖ２と同じ機能を有する。内側プレート６２は、直方セグメント２の内側プレート２２と同じ構成を有する。
【００４４】
上側プレート６３は、平面視矩形状の鋼板により形成されており、外側プレート６１と内側プレート６２との間の空間を高さ方向ｈにおいて上側から覆っている。
外側プレート６１および内側プレート６２から幅方向ｗに所定の長さだけ突出した上側プレート６３の突出部分に形成された貫通孔６３ａには、直方セグメント６と、当該直方セグメント６に重ねられる直方セグメント６または連結セグメント８とを連結するためのボルト（図示せず。）が挿通される。
隣り合う貫通孔６３ａの間には、足場２７を取り付けるために取付孔（図示せず。）が形成されてもよい。上側プレート６３は、直方セグメント２の上側プレート２３と同じ構成を有する。
【００４５】
下側プレート６４は、平面視矩形状の鋼板により形成されており、外側プレート６１と内側プレート６２との間の空間を高さ方向ｈにおいて下側から覆っている。
外側プレート６１および内側プレート６２から幅方向ｗに所定の長さだけ突出した下側プレート６４の突出部分に形成された貫通孔６４ａには、直方セグメント６と、当該直方セグメント６の下側の直方セグメント２，６または連結セグメント４，８とを連結するためのボルト（図示せず。）が挿通される。
隣り合う貫通孔６４ａの間には、足場２７を取り付けるために取付孔（図示せず。）が形成されていてもよい。下側プレート６４は、直方セグメント２の下側プレート２４と同じ構成を有する。
【００４６】
側方プレート６５は、平面視矩形状の鋼板により形成されており、外側プレート６１と内側プレート６２との間の空間を側方（横方向ｌ側）から覆っている。
外側プレート６１および内側プレート６２から幅方向ｗに所定の長さだけ突出した側方プレート６５の突出部分に形成された貫通孔６５ａには、直方セグメント６と、当該直方セグメント６に横方向ｌに隣接する直方セグメント６および連結セグメント８とを連結するためのボルト（図示せず。）が挿通される。側方プレート６５は、直方セグメント２の側方プレート２５と同じ構成を有する。
【００４７】
仕切プレート６６は、平面視矩形の鋼板により形成されている。仕切プレート６６は、高さ方向ｈにおいて隣接した、互いに対向する一対の外側プレート６１および内側プレート６２の間に設けられている。直方セグメント６は、１枚の仕切プレート６６により、内部空間Ｓ３が二等分されている。仕切プレート６６には、分割された内部空間Ｓ３同士を繋ぐ（連通させる）ための貫通孔６６ａが形成されている。なお、貫通孔６６ａが形成されている位置および数は、特に限定されない。
外側プレート２１および内側プレート２２から幅方向ｗに所定の長さだけ突出した仕切プレート６６の突出部分には、足場２７を取り付けるために取付孔（図示せず。）が形成されていてもよい。仕切プレート６６は、直方セグメント２の仕切プレート２６と同じ構成を有する。
【００４８】
図３（ｂ）に示すように、連結セグメント８は、互いに直交する位置関係にある直方セグメント６同士を連結する平面視Ｌ字状のものである。連結セグメント８は、壁面により内部空間Ｓ４が画成されている。連結セグメント８は、止水壁構造体１００の外壁を形成する４枚の外側プレート８１と、止水壁構造体１００の内壁を形成する４枚の内側プレート８２と、当該外側プレート８１および当該内側プレート８２の間の空間を覆う壁部とを有する。
壁部は、連結セグメント８をその高さ方向ｈにおいて上側から覆う平面視Ｌ字状の上側プレート８３と、下側から覆う平面視Ｌ字状の下側プレート８４と、連結セグメント８を側方から覆う２枚の側方プレート８５とを有する。
連結セグメント８は、外側プレート８１、内側プレート８２、上側プレート８３、下側プレート８４および側方プレート８５により中空の内部空間Ｓ４が画成されて箱状に形成されている。連結セグメント８は、さらに、内部空間Ｓ４を高さ方向ｈに対して垂直に仕切る１枚の仕切プレート（仕切壁）８６を有する。連結セグメント８は、２つの内部空間Ｓ４が等分に分割されつつも、各内部空間Ｓ４は、互いに繋がっている。
【００４９】
外側プレート８１には２枚の第１プレート８７と２枚の第２プレート８８とがあり、第１プレート８７および第２プレート８８は、互いに連結部材を介し、互いに直角をなすように連結されている。第１プレート８７は、第２プレート８８に対して長尺に構成されている。
各第１プレート８７および第２プレート８８は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。外側プレート８１は、連結セグメント４の外側プレート４１と同じ構成を有する。外側プレート８１は、連結セグメント４の外側プレート４１と同じ構成を有する。
【００５０】
内側プレート８２は、２枚の第１プレート８９と２枚の第２プレート９０とがあり、第１プレート８９および第２プレート９０は、連結部材を介して互いに直角をなすように連結されている。第１プレート８９は、第２プレート９０に対して長尺に構成されている。
各第１プレート８９および第２プレート９０は、平面視矩形状に構成されており、例えば、鋼板を波形状に湾曲させて形成した波状部を有する直線状の鋼矢板により形成された、いわゆるライナープレートである。波状部は、高さ方向ｈに沿って幅方向ｗに起伏して形成されている。
【００５１】
各内側プレート８２は、各外側プレート８１に対して平行に対向して配置されている。内側プレート８２は、高さ方向ｈにおいて上側に配置された第１プレート８９に接続部材Ｖ１を有し、高さ方向ｈにおいて下側に配置された第１プレート８９は、接続部材Ｖ２を有する。各接続部材Ｖ１，Ｖ２は、連結セグメント４における接続部材Ｖ１，Ｖ２と同じ機能を有する。内側プレート８２は、連結セグメント４の内側プレート４２と同じ構成を有する。
なお、接続部材Ｖ１および接続部材Ｖ２は、第１プレート８９ではなく、第２プレート９０に設けられていてもよい。
【００５２】
上側プレート８３は、平面視Ｌ字形状の鋼板により形成されており、外側プレート８１と内側プレート８２との間の空間を高さ方向ｈにおいて上側から覆っている。
外側プレート８１および内側プレート８２から幅方向ｗに所定の長さだけ突出した上側プレート８３の突出部分に形成された貫通孔８３ａには、連結セグメント８と、当該連結セグメント８に重ねられる直方セグメント６または連結セグメント８とを連結するためのボルト（図示せず。）が挿通される。
突出部分の貫通孔８３ａが形成されていない部分、例えば、隣り合う貫通孔８３ａの間には、足場２７を取り付けるために取付孔（図示せず。）が形成されていてもよい。上側プレート８３は、連結セグメント４の上側プレート４３と同じ構成を有する。
【００５３】
下側プレート８４は、平面視Ｌ字形状の鋼板により形成されており、外側プレート８１と内側プレート８２との間の空間を高さ方向ｈにおいて下側から覆っている。
外側プレート８１および内側プレート８２から幅方向ｗに所定の長さだけ突出した下側プレート８４の突出部分に形成された貫通孔８４ａには、連結セグメント８と、当該連結セグメント８の下側の直方セグメント２，６または連結セグメント４，８とを連結するためのボルト（図示せず。）が挿通される。
突出部分の貫通孔８４ａが形成されていない部分、例えば、隣り合う貫通孔８４ａの間には、足場２７を取り付けるために取付孔（図示せず。）が形成されていてもよい。下側プレート８４は、連結セグメント４の下側プレート４４と同じ構成を有する。
【００５４】
側方プレート８５は、平面視矩形状の鋼板により形成されており、外側プレート８１と内側プレート８２との間の空間を側方（横方向ｌ側）から覆っている。
外側プレート８１および内側プレート８２から幅方向ｗに所定の長さだけ突出した側方プレート８５の突出部分に形成された貫通孔８５ａには、連結セグメント８と、当該連結セグメント８に横方向ｌに隣接する直方セグメント６とを連結するためのボルト（図示せず。）が挿通される。側方プレート８５は、連結セグメント４の側方プレート４５と同じ構成を有する。
【００５５】
仕切プレート８６は、平面視Ｌ字形状の鋼板により形成されている。仕切プレート８６は、高さ方向ｈにおいて隣接した、互いに対向する一対の外側プレート８１および内側プレート８２の間に設けられている。連結セグメント８は、１枚の仕切プレート８６により、内部空間Ｓ４が二等分されている。仕切プレート８６には、分割された内部空間Ｓ４同士を繋ぐ（連通させる）ための貫通孔８６ａが形成されている。なお、貫通孔８６ａが形成されている位置および数は、特に限定されない。
外側プレート８１および内側プレート８２から幅方向ｗに所定の長さだけ突出した仕切プレート８６の突出部分には、足場２７を取り付けるために取付孔（図示せず。）が形成されていてもよい。仕切プレート８６は、連結セグメント４の仕切プレート４６と同じ構成を有する。
【００５６】
図４に示すように、直方セグメント２，６および連結セグメント４，８を互いに長さ方向ｌに連結させて環状構造体１Ａ，１Ｂが形成された状態において、環状構造体１Ａ，１Ｂの周方向に沿って２つの管部材Ｔ１，Ｔ２が設けられる。
管部材Ｔ１は、通流部のそれぞれに取り付けられた接続部材Ｖ１に着脱自在に連結される複数の連結部Ｔ１ａと、外部に通じかつ吸排気を可能にする少なくとも１つの給排部Ｔ１ｂとを有している。
管部材Ｔ２は、通流部のそれぞれに取り付けられた接続部材Ｖ２に着脱自在に連結される複数の連結部Ｔ２ａと、外部に通じかつ給排水を可能にする少なくとも１つの給排部Ｔ２ｂとを有している。
【００５７】
高さ方向ｈにおいて隣り合って上下に重ねられる直方セグメント２，６の側方プレート２５，６５および連結セグメント４，８の側方プレート４５，８５は、環状構造体１Ａ，１Ｂの周方向においてずれた位置にある。つまり、上下に隣接する直方セグメント２，６および連結セグメント４，８は、互いに千鳥状に配置されている。
【００５８】
＜止水壁構造体の構築・解体方法＞
次に、図５乃至図１０を用いて、本発明の実施の形態に係る止水壁構造体１００の構築・解体方法について説明する。図５は、本発明の実施の形態に係る止水壁構造体の平面概略図である。図６乃至図１０は、本発明の実施の形態に係る止水壁構造体の構築・解体方法を説明するための図である。
例えば、河川や海等の水中に立設された橋脚ｂｌの補強・補修を行う際には、一時的に橋脚ｂｌの周囲にドライな作業空間ｗｓを確保する必要がある。作業空間ｗｓを確保する仮設工法を、一般的に水中締切または仮締切と呼び、本発明では特に締切工法と呼ばれている。止水壁構造体１００は、締切工法において使用される。
一般に、締切工法により形成される止水壁構造体１００は、河川や海等の設備環境によっても異なるが、周囲の水による静水圧、水の流れによる流水圧、波による波圧等に対する十分な強度および止水性能が必要とされている。
図５に示すように、止水壁構造体１００の構築前に、橋脚ｂｌに対して所定の間隔をあけて橋脚ｂｌの周囲に鋼製の縦枠９を水底部に打ち込む。次いで、縦枠９と橋脚ｂｌとの間に切梁９１を設置する。
【００５９】
次いで、中空セグメント１０Ａ，１０Ｂを積載した台船から、まず、直方セグメント２および連結セグメント４を水面ｗｌ上に降ろす。直方セグメント２および連結セグメント４の各内部空間Ｓ１，Ｓ２は、外部に対して密に構成されている。つまり、直方セグメント２および連結セグメント４を水面ｗｌ上に降ろしても、直方セグメント２および連結セグメント４は、図６（ａ）に示すように、完全に水没することなく浮かんだ状態を維持する。
なお、最初に水面ｗｌ上に降ろす直方セグメント２および連結セグメント４は、それ自体の浮力により水面ｗｌから一部浮き出た状態を維持するので、足場２７は取り付けられていなくてもよい。足場２７は、直方セグメント２および連結セグメント４に対して着脱自在である。
【００６０】
水面ｗｌ上に降ろした直方セグメント２および連結セグメント４を、橋脚ｂｌを囲むようにして横方向ｌに互いに連結して環状構造体１Ａを構築する（工程（Ａ）、（Ｂ））。具体的には、作業者が水面ｗｌ上に浮かんでいる複数の直方セグメント２および連結セグメント４の側方プレート２５，４５同士を互いの貫通孔２５ａ，４５ａが整合するように当接させ、貫通孔２５ａ，４５ａにボルトを挿通しナットをボルトに締結することにより、横方向ｌにおいて互いに隣接する直方セグメント２および連結セグメント４を連結する。
ここで、環状構造体１Ａの直方セグメント２および連結セグメント４の内側プレート２２，４２に設けられた各通流部の接続部材Ｖ１に管部材Ｔ１を接続し、各通流部の接続部材Ｖ２に管部材Ｔ２を接続する。なお、管部材Ｔ１，Ｔ２の図示は、図面を見やすくするために、図６乃至図１０においては省略した。
【００６１】
次いで、図６（ｂ）に示すように、水面ｗｌ上に浮いた状態にある環状構造体１Ａの上に、直方セグメント６および連結セグメント８を積み重ねて環状構造体１Ａに連結しつつ、横方向ｌに連結して環状構造体１Ｂを構築する（工程（Ａ）、（Ｂ））。
環状構造体１Ａに対する直方セグメント６および連結セグメント８の連結は、直方セグメント２および連結セグメント４の上側プレート２３，４３における貫通孔２３ａ，４３ａと、直方セグメント６および連結セグメント８の下側プレート６４，８４における貫通孔６４ａ，８４ａとを整合させ、ボルトを挿通してナットを取り付けることにより行う。
ここで、環状構造体１Ａ上への直方セグメント６および連結セグメント８は、直方セグメント６および連結セグメント８の重量により環状構造体１Ａが傾かないように、環状構造体１Ａ上で対向する位置に設置していくことが好ましい。
【００６２】
環状構造体１Ａに連結された直方セグメント６および連結セグメント８は、隣り合う直方セグメント６および連結セグメント８と、それぞれの側方プレート６５，８５の貫通孔６５ａ，８５ａが整合している。互いに整合した貫通孔６５ａ，８５ａにボルトを挿通しナットをボルトに締結することにより、横方向ｌに隣接する直方セグメント６および連結セグメント８は、互いに連結されて環状構造体１Ｂが構築される。これにより、環状構造体１Ａに対して環状構造体１Ｂが連結される。
ここで、直方セグメント６および連結セグメント８の内側プレート６２，８２に設けられた各接続部材Ｖ１にも管部材Ｔ１を接続し、各接続部材Ｖ２にも管部材Ｔ２を接続する。
【００６３】
次いで、図７（ａ）に示すように、構築された環状構造体１Ｂの上に、別の環状構造体１Ｂを構築していく。環状構造体１Ｂを複数段にわたって積み重ねると、環状構造体１Ａおよび環状構造体１Ｂは、その内部空間Ｓ１〜Ｓ４内の存在する空気により浮遊した状態になる。この状態において一部の環状構造体１Ｂは、水面ｗｌ上から所定の高さに達する。「所定の高さ」とは、例えば、積み重ねられた環状構造体１Ｂにより水面ｗｌ上に作業スペース（環状構造体１を積み重ねるスペース）が確保できない高さ、または構築作業が高所作業となる高さである。
【００６４】
作業スペースを確保すべく、図７（ｂ）に示すように、環状構造体１Ａにおける直方セグメント２および連結セグメント４の接続部材Ｖ２に接続された管部材Ｔ２の給排部Ｔ２ｂを通じて、直方セグメント２および連結セグメント４内に外部から水ｗａを注入する（工程（Ｃ））。
【００６５】
直方セグメント２の仕切プレート２６により分割された内部空間Ｓ１同士は、貫通孔２６ａにより互いに繋がれ、連結セグメント４の仕切プレート４６により分割された内部空間Ｓ２同士は、貫通孔４６ａにより互いに繋がれているので、各直方セグメント２および連結セグメント４の内部空間Ｓ１，Ｓ２は水ｗａにより満たされる。内部空間Ｓ１，Ｓ２にあった空気は、管部材Ｔ１の給排部Ｔ１ｂを通じて外部に排出される。
環状構造体１Ａは、直方セグメント２および連結セグメント４の自重および水ｗａの重量により水中に沈む。環状構造体１Ａの沈降に伴い、重ねて連結された環状構造体１Ｂも沈降し、水面ｗｌ上にある環状構造体１Ｂが水中に沈む。かくして、水面ｗｌ上における作業スペースが新たに形成される。
【００６６】
再度、作業スペースが確保できない高さまで環状構造体１Ｂが積み重ねられた場合には、図８（ａ）に示すように、下側に配置されている環状構造体１Ｂから順に注水して、作業スペースを再度形成する。この作業を、環状構造体１Ａの下側プレート２４，４４に取り付けられた止水プレートが水底または橋脚ｂｌのフーチングに到達するまで繰り返す。
最終的に、図８（ｂ）に示すように、内部空間Ｓ３，Ｓ４が水ｗａで満たされていない全ての直方セグメント６および連結セグメント８に注水する（工程（Ｄ））。これにより、止水壁構造体１００は、全体としてその内部が水ｗａにより満たされている。
【００６７】
止水壁構造体１００の構築後、橋脚ｂｌの周囲に間隔を介して取り囲むように形成された止水壁構造体１００の内側空間の水ｗａをポンプ等で排水することにより、橋脚ｂｌの周囲に乾燥したドライ空間の作業空間ｗｓを提供する。かくして、止水壁構造体１００が構築される。
作業空間ｗｓが確保された後、高さ方向ｈにおいて隣接する足場２７間に、止水壁構造体１００の周方向における所定の位置で階段２７ｌを設置する。これにより、異なる高さ位置に設置されている足場２７への移動が可能になる。
なお、管部材Ｔ１，Ｔ２は、ドライ空間の作業空間ｗｓが確保された場合、止水壁構造体１００に取り付けられたままであってもよく、また、作業空間ｗｓを確保するため水ｗａをポンプ等により排水する過程において、各接続部材Ｖ１，Ｖ２から適宜取り外してもよい。
【００６８】
止水壁構造体１００において内壁側には、構築時に取り付けた足場２７が取り付けられたままになっているので、作業員は、当該足場２７を使ってドライ空間として確保された作業空間ｗｓを、上下左右に自由に移動しながら、橋脚ｂｌの補修作業を実施する。
【００６９】
作業空間ｗｓを活用して、橋脚ｂｌの補強・補修作業が終了した後、止水壁構造体１００を解体する。作業空間ｗｓに水ｗａを入れた後、止水壁構造体１００の上から順に環状構造体１Ｂに除去していく。管部材Ｔ１，Ｔ２が取り外されている場合には、各接続部材Ｖ１，Ｖ２に管部材Ｔ１，Ｔ２を取り付ける。
まず、図９（ａ）に示すように、環状構造体１Ｂの直方セグメント６および連結セグメント８の各内部空間Ｓ３，Ｓ４内に、管部材Ｔ１の給排部Ｔ１ｂを介して外部から空気を送り込み、内部空間Ｓ３，Ｓ４内の水ｗａを管部材Ｔ２（または通流部）を介して外部に排水する（工程（Ｅ））。なお、各内部空間Ｓ３，Ｓ４が管部材Ｔ１の給排部Ｔ１ｂを介して外部と連通されていれば、管部材Ｔ２（または通流部）を介して内部空間Ｓ３，Ｓ４内の水ｗａを吸引して外部に排水するようにしてもよい。
この工程（Ｅ）を所定の回数、繰り返すことにより、互いに連結された環状構造体１Ａおよび環状構造体１Ｂが浮上し始める。
【００７０】
次いで、図９（ｂ）に示すように、水面ｗｌ上に浮き上がってきた環状構造体１Ｂにおける直方セグメント６および連結セグメント８の連結状態を解除して、直方セグメント６および連結セグメント８をそれぞれ除去する（工程（Ｆ））。直方セグメント６および連結セグメント８を除去することにより、水中から別の環状構造体１Ｂが水面ｗｌ上に浮き上がってくる。工程（Ｆ）を繰り返し行い、環状構造体１Ｂが浮き上がってこなくなった場合には、再度、環状構造体１Ｂに空気を注入して、内部空間Ｓ３，Ｓ４内の水ｗａを外部に排水する（工程（Ｅ））。
【００７１】
最終的に、図１０（ａ）、（ｂ）に示すように、環状構造体１Ａを形成する直方セグメント２および連結セグメント４の内部空間Ｓ１，Ｓ２から水ｗａを排出して、環状構造体１Ａを浮き上がらせ、水面ｗｌ上にて直方セグメント２および連結セグメント４を、互いの連結状態を解除した後、撤去することで止水壁構造体１００の解体が終了する。
【００７２】
以上のような止水壁構造体１００によれば、作業者は、水面ｗｌ上で、複数の直方セグメント２，６および連結セグメント４，８を、横方向ｌに互いに連結することにより矩形の環状構造体１Ａ，１Ｂを形成しつつ互いに重ねながら構築することができる。さらに、止水壁構造体１００の構築・解体に際し、構築された環状構造体１Ａ，１Ｂの浮き沈みを、水または空気等の流体の注入、排出により適切に調節することができる。
環状構造体１Ａ，１Ｂの連結および解体は、水面ｗｌ上において実施することができ、従来のように潜水士による水中における連結・解体作業は必要なくなると共に、橋脚ｂｌに大規模な足場、直方セグメント２，６および連結セグメント４，８を吊り下げる吊り機械等を仮設する必要がなくなる。
さらに、水面ｗｌからの作業高さを常に低い位置に抑えて環状構造体１Ａ，１Ｂ同士の連結（および解体）を水面ｗｌ上、具体的には水面ｗｌから低い位置において実施することができる。つまり、環状構造体１Ａ，１Ｂ毎に重ねながら、当該環状構造体１Ａ，１Ｂの浮き沈みを調節して止水壁構造体１００を水面ｗｌ上にて構築することにより、高所での構築作業を回避することができると共に、水面上における限られた作業空間を有効に活用して構築作業を行うことができる。かくして、従来、水中において潜水士が行っていた連結作業を水上において行うことができるので、止水壁構造体１００の構築作業の負担を減じることができ、止水壁構造体１００の構築および解体作業における作業負担および作業コストを減じることができる。
【００７３】
止水壁構造体１００を構築する各環状構造体１Ａ，１Ｂの各直方セグメント２，６および連結セグメント４，８には、その内部空間Ｓ１〜Ｓ４と外部との間で空気や液体等の流体を通流させる通流部（接続部材Ｖ１，Ｖ２）が設けられている。そして、各環状構造体１Ａ，１Ｂには、給排気用の共通の管部材Ｔ１と、給排水用の共通の管部材Ｔ２が通流部に取り付けられているので、環状構造体１Ａ，１Ｂの浮き沈みを適切に調節することができる。
また、管部材Ｔ１，Ｔ２を止水壁構造体１００の内壁側に設けることにより、管部材Ｔ１，Ｔ２に対する水の流れの影響を排除することができる。
【００７４】
止水壁構造体１００は、箱状の中空セグメント１０Ａ（直方セグメント２および連結セグメント４），１０Ｂ（直方セグメント６および連結セグメント８）を用いて構築されているので、例えば、ライナープレートにより構築された従来の止水壁と比べて、静水圧、流水圧、波圧等に対する強度が向上している。これにより、止水壁構造体１００を内側から支える切梁９１の数を減らすことができ、作業空間ｗｓを広く確保することができる。
【００７５】
また、止水壁構造体１００は、平面視矩形の環状構造体１Ａ，１Ｂを用いて構築されているので、平面視円形、楕円形等の円形の環状構造体に比べて橋脚ｂｌとの間の作業空間ｗｓを大きく確保することができる。
【００７６】
また、止水壁構造体１００を構築する全ての環状構造体１Ａ，１Ｂは、各中空セグメント１０Ａ，１０Ｂの内部空間Ｓ１〜Ｓ４が水により満たされているので、止水壁構造体１００の強度および安定性を容易に増大させることができる。
【００７７】
＜その他＞
なお、本発明は、上記実施の形態に限られるものではなく、本発明の範囲を超えない範囲で適宜変更が可能である。例えば、図１１乃至図１３を用いて、変形例に係る中空セグメントおよび当該中空セグメントにより構築された止水壁構造体を説明する。図１１は、変形例に係る中空セグメントを内部が見える状態にして示す透視斜視図であり、（ａ）は中空セグメントの直方セグメントの斜視図であり、（ｂ）は中空セグメントの連結セグメントの斜視図である。図１２は、他の中空セグメントを内部が見える状態にして示す透視斜視図であり、（ａ）は他の中空セグメントの直方セグメントの斜視図であり、（ｂ）は他の中空セグメントの連結セグメントの斜視図である。図１３は、図１１および図１２の中空セグメントに管部材が取り付けられた状態の止水壁構造体を示す斜視図である。
例えば、上記実施の形態において、接続部材Ｖ１，Ｖ２は、直方セグメント２，６および連結セグメント４，８の内側プレート２２，４２，６２，８２に形成されていた。しかし、図１１および図１２に示す直方セグメント２Ａ，６Ａおよび連結セグメント４Ａ，８Ａのように、外側プレート２１，４１，６１，８１に接続部材Ｖ１，Ｖ２が形成されていてもよい。
管部材Ｔ１，Ｔ２を止水壁構造体１００の外壁側に設けることにより、作業空間ｗｓを広く確保することができる。
なお、図１１および図１２に示す直方セグメント２Ａ，６Ａおよび連結セグメント４Ａ，８Ａは、接続部材Ｖ１，Ｖ２の設置位置が、直方セグメント２，６および連結セグメント４，８と異なるだけであり、その他の構成は同じである。
【００７８】
また、管部材Ｔ１，Ｔ２は、例えば、接続部材Ｖ１，Ｖ２を外側プレート２１，４１，６１，８１および内側プレート２２，４２，６２，８２に設けることにより、内壁または外壁の両方に取り付けられるようにしてもよい。
【００７９】
また、上記の実施の形態においては、管部材Ｔ１，Ｔ２を介して各中空セグメント１０Ａ，１０Ｂにおける内部空間Ｓ１〜Ｓ４に水ｗａを供給したが、水ｗａ以外の液体であってもよい。具体的には、液体が注入された中空セグメント２，４；６，８全体としての見かけの比重が、止水壁構造体１００が構築される水または海水等の比重よりも大きくなる液体であればよい。
【００８０】
また、上記の実施の形態においては、各中空セグメント１０Ａ，１０Ｂにおける内部空間Ｓ１〜Ｓ４は、仕切プレート２６，４６，６６，８６により複数段に区切られて形成されているが、各中空セグメント１０Ａ，１０Ｂの静水圧、流水圧、波圧等に対する強度が十分であれば、仕切プレート２６，４６，６６，８６を設けなくてもよい。
また、直方セグメント２，６および連結セグメント４，８における外側プレート２１，４１，６１，８１および内側プレート２２，４２，６２，８２は１枚であってもよく、この場合、仕切プレート２６，４６，６６，８６は設けられていない。中空セグメント１０Ａ，１０Ｂの高さ方向ｈにおける寸法は、外側プレート２１，４１，６１，８１および内側プレート２２，４２，６２，８２の枚数により適宜変更される。
【００８１】
また、上記実施の形態においては、各環状構造体１Ａ，１Ｂにそれぞれ管部材Ｔ１，Ｔ２が設けられていたが、各直方セグメント２，６および連結セグメント４，８における各通流部（接続部材Ｖ１，Ｖ２）それぞれに直接、管部材Ｔ１，Ｔ２の給排部Ｔ１ｂ，Ｔ２ｂを取り付けてもよい。
【００８２】
また、上記実施の形態においては、各直方セグメント２，６および連結セグメント４，８における内部空間Ｓ１〜Ｓ４は互いに独立していた。しかし、例えば、横方向ｌに連結された各直方セグメント２，６および連結セグメント４，８の内部空間Ｓ１〜Ｓ４同士を、側方プレート２５，４５，６５，８５に貫通孔を形成して互いに連通させ、また、高さ方向に連結された各直方セグメント２，６および連結セグメント４，８の内部空間Ｓ１〜Ｓ４同士を、上側プレート２３，４３，６３，８３および下側プレート２４，４４，６４，８４に貫通孔を形成して互いに連通させてもよい。
この場合、通流部は、環状構造体１Ａ，１Ｂの周方向において、例えば、互いに対向する位置の直方セグメント２，６および連結セグメント４，８に設けられていればよい。これにより、内部空間Ｓ１〜Ｓ４への注水時に、環状構造体１Ａ，１Ｂが一方の側に過度に傾くことを防ぐことができる。
【００８３】
また、上記の実施の形態においては記載していないが、各直方セグメント２，６および連結セグメント４，８同士の連結部分には、止水を目的としてパッキン部材（図示せず。）が設けられている。つまり、各直方セグメント２，６および連結セグメント４，８においては、上側プレート２３，４３、下側プレート２４，４４および側方プレート２５，４５の壁面にパッキン部材が取り付けられている。
【００８４】
また、上記の実施の形態においては、止水壁構造体１００は、平面視矩形状の環状構造体１Ａ，１Ｂにより平面視矩形状に形成されていたが、止水壁構造体１００の平面視形状は、これに限られず、例えば、三角形又は五角形以上の平面視多角形状であってもよい。この場合、各直方セグメント２，６および連結セグメント４，８を、止水壁構造体１００の平面視形状に応じて適宜設計変更すればよい。
【００８５】
また、上記の実施の形態においては、止水壁構造体１００は環状構造体１Ａ，１Ｂにより形成されていたが、例えば、岸壁構造物において一部を補修等する場合、環状構造体１Ａ，１Ｂを岸壁構造物に対して平面視Ｕ字状、Ｃ字状に形成してもよい。
【符号の説明】
【００８６】
１，１Ａ，１Ｂ  環状構造体（連結体）
１０Ａ，１０Ｂ  中空セグメント
２，６  直方セグメント
２１，６１  外側プレート
２２，６２  内側プレート
２６，６６  仕切プレート（仕切壁）
４，８  連結セグメント
４１，８１  外側プレート
４２，８２  内側プレート
４６，８６  仕切プレート（仕切壁）
１００  止水壁構造体
Ｓ１〜Ｓ４  内部空間
Ｔ１，Ｔ２  管部材
Ｖ１，Ｖ２  接続部材
ｗｌ  水面
ｗｓ  作業空間（止水された空間）
【図１】
2019210662.tif 000003
【図２】
2019210662.tif 000004
【図３】
2019210662.tif 000005
【図４】
2019210662.tif 000006
【図５】
2019210662.tif 000007
【図６】
2019210662.tif 000008
【図７】
2019210662.tif 000009
【図８】
2019210662.tif 000010
【図９】
2019210662.tif 000011
【図１０】
2019210662.tif 000012
【図１１】
2019210662.tif 000013
【図１２】
2019210662.tif 000014
【図１３】
2019210662.tif 000015
【図１４】
2019210662.tif 000016